(57)【要約】      （修正有）【課題】分割収容された食材の混合作業の簡略化や確実性を高めるとともに、消費者に対して中身をわかりやすくアピールすることができる食品用容器を提供する。【解決手段】食品用容器１は、容器本体２０と蓋体４０とを備え、容器本体は、胴部２２の対向する両側面に開口部２３側から底部２１側にわたって形成された一対のガイド部２５、２５を有し、収容部３０がガイド部に抜差し可能に挿入保持された抜差部材３５により複数の食材収容部３１、３２に分割されており、使用時には抜差部材を抜去して食材収容部に区画された食品を混ぜ合わせることができるとともに、蓋面４１を上面側又は正面側として陳列可能に構成されて、蓋面を上面側とした陳列時には抜差部材が収容部を横方向に分割する隔壁部となり、蓋面を正面側とした陳列時には抜差部材が収容部を横方向又は上下方向に分割する隔壁部となるように構成されている。【選択図】図１
0003229323.tif 000002
【実用新案登録請求の範囲】
【請求項１】
底部と前記底部から連設された胴部と前記胴部の上部側に開口部と食品を収容する収容部とを有する容器本体と、前記容器本体の開口部を被覆する蓋体とを備えた食品用容器であって、
前記容器本体は、前記胴部の対向する両側面に前記開口部側から前記底部側にわたって形成された一対のガイド部を有し、前記収容部が前記一対のガイド部に抜差し可能に挿入保持された板状の抜差部材により複数の食材収容部に分割されており、使用時には前記抜差部材を抜去して前記食材収容部に区画された食品を混ぜ合わせることができるとともに、
前記容器は、前記蓋体の蓋面を上面側又は正面側として陳列可能に構成されて、前記蓋面を上面側とした陳列時には前記抜差部材が前記容器本体の収容部を横方向に分割する隔壁部となり、前記蓋面を正面側とした陳列時には前記抜差部材が前記容器本体の収容部を横方向又は上下方向に分割する隔壁部となるように構成されている
ことを特徴とする食品用容器。
【請求項２】
前記ガイド部が凹溝部からなる請求項１に記載の食品用容器。
【請求項３】
前記凹溝部が前記開口部側は広く前記底部側が狭いテーパ―状溝部である請求項２に記載の食品用容器。
【請求項４】
前記容器本体の前記底部に前記ガイド部に挿入保持された前記抜差部材を保持する底部側保持部が形成されている請求項１ないし３のいずれか１項に記載の食品用容器。
【請求項５】
前記抜差部材の前記ガイド部に挿入される両側部に脚部が形成されている請求項１ないし４のいずれか１項に記載の食品用容器。
【請求項６】
前記容器本体の前記胴部に前記底部側から前記開口部側へ拡開するように傾斜した平坦面からなるテーパ面が形成されている請求項１ないし５のいずれか１項に記載の食品用容器。
【請求項７】
前記蓋面を正面側とした陳列時に前記テーパ面が下面側とされる請求項６に記載の食品用容器。
【請求項８】
前記容器本体の前記胴部が平面視多角形状に形成され、前記テーパ面が前記胴部の複数面に形成されている請求項６又は７に記載の食品用容器。
【請求項９】
前記胴部の複数面に形成された各テーパ面の傾斜角度が異なるように構成されている請求項８に記載の食品用容器。
【請求項１０】
前記胴部の複数面に形成された各テーパ面のうち一のテーパ面のみの傾斜角度が異なり、該傾斜角度の異なるテーパ面が前記蓋面を正面側とした陳列時に下面側とされる請求項９に記載の食品用容器。
【請求項１１】
前記容器本体の前記胴部が前記テーパ面と円弧状側面からなる請求項７に記載の食品用容器。
【考案の詳細な説明】
【技術分野】
【０００１】
この考案は、コンビニエンスストア等で販売される食品用容器に関し、特には店頭での陳列を改善可能とした食品用容器に関する。
【背景技術】
【０００２】
近年、コンビニエンスストア等で販売される飲食物の種類は極めて多彩であり、惣菜や弁当やサンドイッチ等に加えてサラダ、デザート、または麺類、その他の加工食品類と広がりを見せている。このような食品を販売する場合、合成樹脂シート製の容器本体に蓋体を重ね合わせた形態の容器が多用されている。
【０００３】
列記の食品のうち、弁当類では１個の容器内に全ての食材を盛りつける包装、販売が一般的である。これは、詰め合わされる食材同士の味がよくなじみ、全体として美味しさを呈する加工、調理法によるためである。また、使用される食材の水分含有率も比較的そろっているためである。これに対し、主に蕎麦、うどん、パスタ等の麺類の場合、製造時点で麺類とその上に載せる具材とを一緒とすることもある。しかし、麺類とその上に載せる具材の水分含有率との間に差があることもある。このことから、喫食時にすでにふやけた状態となり食味が悪くなりやすい。近年、食味に対する要望が高まっているとともに、各小売店、販売者にとって、他業者との差別化、顧客満足度を得るために看過できない問題である。
【０００４】
そこで、比較的簡便な対応として、容器本体及び蓋体からなる容器の中に、さらに中皿（中蓋）を使用した容器がある（例えば、特許文献１参照。）。この容器によると、例えば、容器本体の最下部に麺類等の主食材を収容し、容器本体の開口部に中皿を置き、この中皿に適宜の具材等の副食材を載せ、最後に蓋体を被せることとなる。この容器の場合、喫食前の食材同士の混合を抑えて、できたての食味に近づけることは可能である。また、トッピングされる具材が中皿上に並べられるため、見た目の華やかさも演出される。
【０００５】
この容器に収容された食品を食す場合、容器本体の開口部に載置された中皿が容器本体から一旦分離された後、中皿上の具材等の副食材が容器本体側へ移されて、容器本体内で主食材と副食材とが混合される。しかしながら、中皿の分離や副食材の移動は、中皿に副食材が載置されたまま順次作業が行われるため、食すまでにある程度の手順を要するとともに、誤って副食材をこぼしてしまう可能性は排除できない。そこで、より簡易な手順で主食材と副食材とを混合可能とし、かつその作業時に副食材がこぼれにくくすることが求められている。
【０００６】
また、この種の中皿を使用して主食材と副食材を分離した食品は、店頭の陳列棚に平積み状態で並べられて陳列される。その際、容器上面の蓋体は透明樹脂よりなり、容器本体は発泡樹脂製や紙製等の不透明な材質より構成されるため、陳列棚の下段の商品は上から見ることができて商品の中身が分かり易いが、棚の中段ないし上段の商品は側面からしか見ることが出来ず中身を把握しにくいという問題がある。そこで容器本体を透明な材料で構成することが考えられるが、陳列棚の上段や中段では容器側面から商品の中身を見るため、中皿上の食品を見ることは困難である。販売者側からすると、中身が把握しにくい中段や上段の商品は消費者に対するアピール力が弱くその結果売上げが伸びない商品となるおそれがある。
【先行技術文献】
【特許文献】
【０００７】
【特許文献１】実用新案登録第３１３３０９８号公報
【考案の概要】
【考案が解決しようとする課題】
【０００８】
本考案は、前記の点に鑑みなされたものであり、分割収容された食材の混合作業の簡略化や確実性を高めるとともに、消費者に対して中身をわかりやすくアピールすることができる食品用容器を提供するものである。
【課題を解決するための手段】
【０００９】
すなわち、請求項１の考案は、底部と前記底部から連設された胴部と前記胴部の上部側に開口部と食品を収容する収容部とを有する容器本体と、前記容器本体の開口部を被覆する蓋体とを備えた食品用容器であって、前記容器本体は、前記胴部の対向する両側面に前記開口部側から前記底部側にわたって形成された一対のガイド部を有し、前記収容部が前記一対のガイド部に抜差し可能に挿入保持された板状の抜差部材により複数の食材収容部に分割されており、使用時には前記抜差部材を抜去して前記食材収容部に区画された食品を混ぜ合わせることができるとともに、前記容器は、前記蓋体の蓋面を上面側又は正面側として陳列可能に構成されて、前記蓋面を上面側とした陳列時には前記抜差部材が前記容器本体の収容部を横方向に分割する隔壁部となり、前記蓋面を正面側とした陳列時には前記抜差部材が前記容器本体の収容部を横方向又は上下方向に分割する隔壁部となるように構成されていることを特徴とする食品用容器に係る。
【００１０】
請求項２の考案は、前記ガイド部が凹溝部からなる請求項１に記載の食品用容器に係る。
【００１１】
請求項３の考案は、前記凹溝部が前記開口部側は広く前記底部側が狭いテーパ―状溝部である請求項２に記載の食品用容器に係る。
【００１２】
請求項４の考案は、前記容器本体の前記底部に前記ガイド部に挿入保持された前記抜差部材を保持する底部側保持部が形成されている請求項１ないし３のいずれか１項に記載の食品用容器に係る。
【００１３】
請求項５の考案は、前記抜差部材の前記ガイド部に挿入される両側部に脚部が形成されている請求項１ないし４のいずれか１項に記載の食品用容器に係る。
【００１４】
請求項６の考案は、前記容器本体の前記胴部に前記底部側から前記開口部側へ拡開するように傾斜した平坦面からなるテーパ面が形成されている請求項１ないし５のいずれか１項に記載の食品用容器に係る。
【００１５】
請求項７の考案は、前記蓋面を正面側とした陳列時に前記テーパ面が下面側とされる請求項６に記載の食品用容器に係る。
【００１６】
請求項８の考案は、前記容器本体の前記胴部が平面視多角形状に形成され、前記テーパ面が前記胴部の複数面に形成されている請求項６又は７に記載の食品用容器に係る。
【００１７】
請求項９の考案は、前記胴部の複数面に形成された各テーパ面の傾斜角度が異なるように構成されている請求項８に記載の食品用容器に係る。
【００１８】
請求項１０の考案は、前記胴部の複数面に形成された各テーパ面のうち一のテーパ面のみの傾斜角度が異なり、該傾斜角度の異なるテーパ面が前記蓋面を正面側とした陳列時に下面側とされる請求項９に記載の食品用容器に係る。
【００１９】
請求項１１の考案は、前記容器本体の前記胴部が前記テーパ面と円弧状側面からなる請求項７に記載の食品用容器に係る。
【考案の効果】
【００２０】
請求項１の考案に係る食品用容器によると、底部と前記底部から連設された胴部と前記胴部の上部側に開口部と食品を収容する収容部とを有する容器本体と、前記容器本体の開口部を被覆する蓋体とを備えた食品用容器であって、前記容器本体は、前記胴部の対向する両側面に前記開口部側から前記底部側にわたって形成された一対のガイド部を有し、前記収容部が前記一対のガイド部に抜差し可能に挿入保持された板状の抜差部材により複数の食材収容部に分割されており、使用時には前記抜差部材を抜去して前記食材収容部に区画された食品を混ぜ合わせることができるとともに、前記容器は、前記蓋体の蓋面を上面側又は正面側として陳列可能に構成されて、前記蓋面を上面側とした陳列時には前記抜差部材が前記容器本体の収容部を横方向に分割する隔壁部となり、前記蓋面を正面側とした陳列時には前記抜差部材が前記容器本体の収容部を横方向又は上下方向に分割する隔壁部となるように構成されているため、極めて単純な作業で分割された食材をこぼすことなく混合可能な状態とすることができ、分割された食材の混合作業の簡略化や確実性が高められるとともに、陳列場所に応じて陳列状態を設定可能で食材の斬新な収容状態を演出することができて、消費者に対して容器全体の中身をわかりやすくアピールすることができ、消費者の購買意欲を高めることが可能である。
【００２１】
請求項２の考案に係る食品用容器によると、請求項１の考案において、前記ガイド部が凹溝部からなるため、抜差部材を所定位置への適切に差し込むことが可能であるとともに、ガイド部からの抜去を容易かつ円滑に行うことができる。
【００２２】
請求項３の考案に係る食品用容器によると、請求項２の考案において、前記凹溝部が前記開口部側は広く前記底部側が狭いテーパ―状溝部であるため、抜差部材がガイド部へ差し込みしやすくなり、差し込み後は抜差部材のがたつきが抑制されて安定性が向上する。
【００２３】
請求項４の考案に係る食品用容器によると、請求項１ないし３の考案において、前記容器本体の前記底部に前記ガイド部に挿入保持された前記抜差部材を保持する底部側保持部が形成されているため、ガイド部に挿入保持された抜差部材をより安定して保持することができる。
【００２４】
請求項５の考案に係る食品用容器によると、請求項１ないし４の考案において、前記抜差部材の前記ガイド部に挿入される両側部に脚部が形成されているため、抜差部材の補強とともにガイド部への挿入保持時の安定性の向上を図ることができる。
【００２５】
請求項６の考案に係る食品用容器によると、請求項１ないし５の考案において、前記容器本体の前記胴部に前記底部側から前記開口部側へ拡開するように傾斜した平坦面からなるテーパ面が形成されているため、蓋面を正面側とした陳列時に陳列場所に応じた適切な陳列状態が可能となる。
【００２６】
請求項７の考案に係る食品用容器によると、請求項６の考案において、前記蓋面を正面側とした陳列時に前記テーパ面が下面側とされるため、蓋面が上向き傾斜状の正面側となり、商品棚等に陳列された際に消費者に対して視認しやすくすることができ、陳列効果が高められる。
【００２７】
請求項８の考案に係る食品用容器によると、請求項６又は７の考案において、前記容器本体の前記胴部が平面視多角形状に形成され、前記テーパ面が前記胴部の複数面に形成されているため、様々なパターンでの横置き陳列が可能となる。
【００２８】
請求項９の考案に係る食品用容器によると、請求項８の考案において、前記胴部の複数面に形成された各テーパ面の傾斜角度が異なるように構成されているため、陳列場所の変化により細かく対応させた陳列が可能となる。
【００２９】
請求項１０の考案に係る食品用容器によると、請求項９の考案において、前記胴部の複数面に形成された各テーパ面のうち一のテーパ面のみの傾斜角度が異なり、該傾斜角度の異なるテーパ面が前記蓋面を正面側とした陳列時に下面側とされるため、横置き陳列時の外形のバランスがよく、消費者に対する商品のアピール力が高められる。
【００３０】
請求項１１の考案に係る食品用容器によると、請求項７の考案において、前記容器本体の前記胴部が前記テーパ面と円弧状側面からなるため、横置き陳列時の外観形状が斬新であり、消費者に対する商品のアピール力に優れる。
【図面の簡単な説明】
【００３１】
【図１】本考案の一実施例に係る食品用容器の開封時の斜視図である。
【図２】図１の食品用容器の閉蓋時の概略断面図である。
【図３】抜差部材の平面図及び断面図である。
【図４】食品用容器の横置き陳列時の斜視図である。
【図５】食品用容器の横置き陳列時の概略断面図である。
【図６】食品用容器の他の横置き陳列時の概略断面図である。
【図７】四角形状の容器本体の収容部を上下方向に分割した横置き陳列時の食品用容器の概略正面図である。
【図８】図７の食品用容器のテーパ面以外の側面を下面側として配置した概略正面図である。
【図９】四角形状の容器本体の収容部を横方向に分割した横置き陳列時の食品用容器の概略正面図である。
【図１０】図７の食品用容器のテーパ面と対向しない他の側面を下面側として配置して収容部を横方向に分割した概略正面図である。
【図１１】円弧形状の容器本体の収容部を上下方向に分割した横置き陳列時の食品用容器の概略正面図である。
【図１２】円弧形状の容器本体の収容部を横方向に分割した横置き陳列時の食品用容器の概略正面図である。
【考案を実施するための形態】
【００３２】
図１，２に示す本考案の一実施例に係る容器１は、コンビニエンスストア等で販売される加工食品のうち、特に複数の食材を分離して収容するための食品用容器であって、容器本体２０と、蓋体４０とを備える。容器１に収容される食品は特に限定されるものではないが、例えば蕎麦、うどん、冷やし中華、パスタサラダ等の麺類、親子丼、中華丼、牛丼等の丼物（弁当）類等が例示される。特にこれらの食品は、調理済みであって、電子レンジ等により温められ、あるいはそのままで、すぐに食すことが可能な食品である。
【００３３】
食品用容器１は、例えば合成樹脂シートの成形体からなる。容器１を構成する合成樹脂シートとしては、ポリエチレン、ポリプロピレン、ポリスチレン、ポリエチレンテレフタレート等の熱可塑性樹脂のシート、さらにはポリ乳酸等の生分解性樹脂の熱可塑性樹脂のシート等が挙げられる。前記の合成樹脂シートは真空成形により図示をはじめとする各種形状に成形される。合成樹脂シートの厚さは適宜ではあるものの、概ね１ｍｍ以下の厚さである。
【００３４】
容器１を構成する容器本体２０と蓋体４０との組み合わせにおいて、それぞれ同一材料で形成してもよいし、異なる材料で形成してもよい。特に、容器１を構成する容器本体２０と蓋体４０のうち、蓋体４０は、容器内部が透視可能となる透明な材料で構成される。なお、容器本体２０は、合成樹脂シート等の可撓性素材に限らず、金属製、ガラス製、木製、紙製であってもよい。構成材料の種類は、用途、内容物、包装対象により適宜選択される。
【００３５】
容器本体２０は、底部２１と、底部２１から連設された胴部２２と、胴部２２の上部側に開口部２３と、食品を収容する収容部３０とを有する。この容器本体２０では、胴部２２の平面視形状が四角形や八角形等の多角形状、真円や楕円、半円等の円弧形状を含む形状等、用途等に応じて適宜に形成される。底部２１や開口部２３の形状は、胴部２２の平面視形状に対応する同形としてもよいし、それぞれ異なっていてもよい。容器本体２０の全体形状としては、丼型、椀型、深皿型等の食品が収容可能な適宜の食器類の形状で形成される。
【００３６】
また、容器本体２０では、図２に示すように、胴部２２に底部２１側から開口部２３側へ拡開するように傾斜した平坦面からなるテーパ面２２ａが形成されている。このテーパ面２２ａは、胴部２２に少なくとも一面が形成される。例えば、胴部２２の平面視形状が多角形状の場合、胴部２２の複数の側面のうちいずれか一面又は複数面にテーパ面を形成することができる。また、胴部２２の平面視形状が円弧形状を含む形状である場合、胴部２２の円弧状の側面に一面又は複数面のテーパ面を形成することができる。テーパ面２２ａの傾斜角度は、底部２１側から開口部２３側へ拡開して傾斜される角度であれば特に限定されない。また、胴部２２にテーパ面２２ａが複数面形成された場合、各テーパ面の傾斜角度は、略同一であってもよいし、それぞれ異なるように構成されてもよい。なお、図２において、符号２１ａは補強のために底部２１の一部を容器本体２０の内側へ凹ませて形成された底部補強部、２２ｂはテーパ面２２ａに対向する胴部２２の側面、２２ｃ，２２ｄはテーパ面２２ａに対向しない胴部２２の他の側面、２４は開口部２３から外側へ張り出して形成された容器鍔部である。
【００３７】
さらに、容器本体２０は、胴部２２に形成された一対のガイド部２５，２５と、ガイド部２５，２５に抜差し可能に挿入保持された抜差部材３５とを有する。ガイド部２５は、胴部２２の対向する両側面に開口部２３側から底部２１側にわたって形成された直線状の溝部である。実施例のガイド部２５は、胴部２２を内面側から外面側へ凹ませて形成された凹溝部２６からなる。この凹溝部２６は、開口部２３側が広く底部２１側が狭い溝幅で形成されたテーパー状溝部である。なお、ガイド部としては、凹溝部に限定されるものではなく、例えば、胴部から突設された２本の突条部間に形成される凸溝部等でもよい。
【００３８】
抜差部材３５は、図１〜３に示すように、一対のガイド部２５，２５に抜差し可能に挿入保持された板状の部材であり、収容部３０を複数の食材収容部３１，３２に分割する。抜差部材３５の形状は、収容部３０を複数の食材収容部３１，３２に分割可能な板状部材であれば特に限定されない。また、抜差部材３５では、必要に応じて板面部３６に補強のための複数のリブ３７を形成してもよい。
【００３９】
抜差部材３５では、一対のガイド部２５，２５が凹溝部であることにより、ガイド部２５，２５の溝方向に沿ってスライドさせて抜差しすることが可能となる。そのため、所定位置への適切に差し込むことが可能であるとともに、ガイド部２５，２５からの抜去を容易かつ円滑に行うことができる。また、ガイド部２５，２５の開口部２３側が広く底部２１側が狭い溝幅であることから、抜差部材３５がガイド部２５，２５へ差し込みしやすくなり、差し込み後はガイド部２５，２５の下部側の溝幅が狭いため抜差部材３５のがたつきが抑制されて安定性が向上する。
【００４０】
上記抜差部材３５により分割された食材収容部３１，３２には、一方に米飯や麺等の主食材、他方に具材等の主食材以外の食材（副食材）等が適宜収容され、抜差部材３５によってそれぞれ混ざり合わないように区画されている。この食材収容部３１，３２には、必要に応じてドレッシングやスープ等の袋入り調味料等も一緒に収容してもよい。
【００４１】
この抜差部材３５は、使用時（喫食時）にガイド部２５，２５から抜去することにより、食材収容部３１，３２に区画された食品を混ぜ合わせることができる。すなわち、容器本体２０内（各食材収容部３１，３２内）に分割して収容された食材（主食材と副食材等）が、抜差部材３５の抜去のみにより、容器本体２０から取り出されることなく収容された状態のまま混ぜ合わせ可能な状態となる。したがって、分割された食材の混合作業が極めて簡略となり、しかも、混合作業時に食材をこぼす恐れがなくなって各作業の確実性が高められる。
【００４２】
抜差部材３５を保持する容器本体２０では、必要に応じて、底部２１にガイド部２５，２５に挿入保持された抜差部材３５を保持する底部側保持部２７が形成される。底部側保持部２７は、ガイド部２５，２５に挿入保持された抜差部材３５をより確実に保持するための部位であり、例えば凹溝部や凸溝部等の適宜の溝部で構成される。実施例の底部側保持部３２は、底部２１の底部補強部２１ａに一対のガイド部２５，２５を結ぶように直線状に形成された凹溝部である。底部側保持部３２により、ガイド部２５，２５に挿入保持された抜差部材３５をより安定して保持することができる。
【００４３】
蓋体４０は、図２に示すように、容器本体２０の開口部２３を被覆する部材である。この蓋体４０は、開口部２３が被覆可能であれば特に限定されるものではなく、例えば容器本体２０の開口部２３に着脱可能に嵌合する嵌合蓋、容器本体２０の開口部２３に接着されるシート状のトップフィルム等、適宜である。図１，２に示す実施例の蓋体４０は、蓋面４１の外周から垂下する垂下部４２が容器本体２０の開口部２３の内周側に嵌合される内嵌合の蓋体である。この蓋体４０は、容器本体２０の外周側に嵌合される外嵌合の蓋体でもよい。図において、符号４３は垂下部４２の外縁から外側へ延設された蓋鍔部、４４は蓋体４０と開口部２３との嵌合を解除しやすくする蓋つまみ部である。
【００４４】
本考案の食品用容器１は、縦置き（１０Ａ）と横置き（１０Ｂ）の双方で陳列可能に構成されて、縦置き陳列時には抜差部材３５が容器本体２０の収容部３０を横方向に分割する隔壁部となり、横置き陳列時には抜差部材３５が容器本体２０の収容部３０を横方向又は上下方向に分割する隔壁部となるように構成されている。縦置き陳列とは、例えば図１，２に示す容器１０Ａのような一般的な陳列状態であって、蓋体４０の蓋面４１を上面側とし、容器本体２０の底部２１を下面側として接地するように載置された状態である。
【００４５】
横置き陳列とは、図４，５に示す容器１０Ｂのように、蓋体４０の蓋面を正面側とし、容器本体２０の胴部２２の側面を下面側として載置された状態である。横置き陳列の容器１０Ｂでは、容器本体２０の胴部２２を接地させてもよいが、例えば容器本体２０の開口部２３から外側へ容器鍔部２４が延設されてる場合等においては、図５に示すように、容器鍔部２４を前側支持部５１、胴部２２の下端部（底部２１との連設部分）を後側支持部５２として設置させて載置される。この前側支持部５１となる容器本体２０の容器鍔部２４の一部は、直線形状とすることが好ましい。前側支持部５１が直線形状であることにより、横置き時に前側支持部５１が水平となるため、横置き状態での安定性が向上する。
【００４６】
また、上記横置き陳列の容器１０Ｂでは、横置き陳列時に下面側となる容器本体２０の胴部２２側面が平坦面であることが好ましい。横置き陳列時の下面側を平坦面とすることにより、前側支持部５１と後側支持部５２とで接地する際に、容器本体２０の胴部２２の側面が接地せず、横置き状態が不安定とならない。そして、横置き陳列時では、容器鍔部２４が前側支持部５１となることにより、下面側となる胴部２２の側面が蓋体４０側から底部２１側へ下るように傾斜するため、収容した内容物（食材）に水分が多く含まれていた場合等でも、水分が底部２１側へ集められる。これにより、横置き陳列の容器１０Ｂの正面となる蓋体４０側にしずく等の液分がたまることが抑制され、見栄えのよい陳列状態を演出することができる。
【００４７】
特に、図５に示すように、横置き陳列時に胴部２２のテーパ面２２ａが下面側とされた場合、テーパ面２２ａは底部２１側から開口部２３側へ拡開するように傾斜して形成されていることから、容器１０Ｂは蓋体４０の蓋面４１を上向き傾斜状の正面側とした陳列状態となる。蓋面４１が上向き傾斜状の正面側となることにより、商品棚等に陳列された際に消費者に対して視認しやすくすることができ、陳列効果が高められる。
【００４８】
また、図６に示す横置き陳列の容器１０Ｃのように、テーパ面２２ａ以外の胴部２２の側面又はテーパ面２２ａより傾斜角度が小さい他のテーパ面を下面側とすることもできる。この横置き陳列の容器１０Ｃでは、蓋体４０の蓋面４１が、略垂直の正面側又は上向きの傾斜が小さい正面側となる。このような横置き陳列の容器１０Ｃは、例えば、消費者の目線の高さ等の位置の陳列棚で陳列した場合等により視認しやすくなる。
【００４９】
つまり、横置き陳列の容器では、下面側となる胴部の側面（テーパ面）の傾斜角度が大きいほど、正面側となる蓋体の蓋面の上向きの傾斜角度が大きくなり、下面側となる胴部の側面の傾斜角度が小さいほど、正面側となる蓋体の蓋面が垂直に近くなるように構成される。そこで、例えば、低い位置（下段）の陳列棚に陳列する場合は、傾斜角度が大きいテーパ面を下面側とする蓋面の上向き傾斜角度が大きい横置き陳列とすることで、消費者に対してより視認しやすい陳列状態とすることができる。また、目線の高さ等の高い位置（上段）の陳列棚に陳列する場合では、テーパ面以外の側面又はわずかな傾斜角度のテーパ面を下面側とする蓋面が略垂直正面側又はわずかに上向き傾斜した正面側の横置き陳列とすれば、効果的である。さらに、中段の陳列棚に陳列する場合は、下段の陳列棚に陳列する場合より傾斜角度が小さくかつ上段の陳列棚に陳列する場合より傾斜角度が大きく傾斜したテーパ面を下面側とする蓋面が上向き傾斜した横置き陳列が効果的である。そして、平積み状に陳列する場合等では、蓋面が上面側となる縦置き陳列が効果的である。このように、陳列場所（陳列棚の位置等）に応じて適切な陳列状態が可能となる。さらに、テーパ面が胴部の複数面に形成されている場合には、様々なパターンでの横置き陳列が可能となり、特に各テーパ面の傾斜角度が異なるように構成されることで、陳列場所の変化により細かく対応させた陳列が可能となる。
【００５０】
次に、本考案の食品用容器の形態のバリエーションについて、図７〜１２を用いて説明する。なお、図７〜１２は、横置き陳列時の容器の概略正面図であり、図の下側を接地方向としており、蓋体の図示は省略している。また、各図において同一符号は同一の構成を表すものとして説明を省略する。
【００５１】
図７に示す食品用容器１Ａは、胴部２２にテーパ面２２ａが形成された平面視四角形状の容器本体２０Ａを有し、テーパ面２２ａを下面側として、抜差部材３５ａにより容器本体２０Ａの収容部３０を上下方向に配置された食材収容部３１ａ，３２ａに分割した例である。この容器１Ａでは、横置き陳列時における容器本体２０Ａの胴部２２の左右の側面にそれぞれガイド部２５ａ，２５ａが形成される。図示の例では、ガイド部２５ａ，２５ａの位置は、横置き陳列時に下面側となるテーパ面２２ａと対向しない２つの側面２２ｃ，２２ｄである。また、容器１Ａの胴部２２は、テーパ面２２ａのみの傾斜角度が他の側面２２ｂ，２２ｃ，２２ｄと異なるように構成されている。そのため、横置き陳列時の外形のバランスがよく、商品のアピール力が高められる。
【００５２】
ガイド部２５ａ，２５ａに挿入保持された抜差部材３５ａは、横置き陳列時に食材収容部３１ａ，３２ａを上下方向に区画する隔壁部であって、特に図５に示すように、左右の側面２２ｃ，２２ｄ間に架設されて上側食材収容部３１ａの底部となる中皿部材に相当する。そして横置き陳列時では、上側食材収容部３１ａに収容された食材が抜差部材３５ａの板面部３６上に載置されるため、上側食材収容部３１ａ内の食材と下側食材収容部３２ａ内の食材との混合を回避することができる。また、複数の食材が正面視上下方向に分割収容されるため、斬新な収容状態を演出することができ、陳列効果が高められる。
【００５３】
中皿としての抜差部材３５ａでは、図４，５，７に示すように、ガイド部２５ａ，２５ａに挿入される両側部に脚部３８，３８が形成されていることが好ましい。脚部３８は、抜差部材３５の補強とともにガイド部２５ａ，２５ａへの挿入保持時に抜差部材３５ａを支持して安定性の向上を図ることができる。また、抜差部材３５ａは、脚部３８が横置き陳列時に下面側となる方向に配置されるようにガイド部２５ａ，２５ａに挿入される。なお、中皿としての抜差部材３５ａでは、板面部３６に複数形成された補強用のリブ３７が、載置される食材のための滑り止め部としても機能する。
【００５４】
また、容器１Ａでは、ガイド部２５ａ，２５ａが底部２１に対して側面視略垂直方向に形成されることから、図５に示すように、蓋体４０の蓋面４１を上向き傾斜状の正面側とする横置き陳列時には、蓋体４０側から底部２１側へ下るように傾斜される。そのため、抜差部材３５ａは、蓋体４０側から底部２１側へ下るように傾斜した状態でガイド部２５ａ，２５ａに挿入保持される。これにより、抜差部材３５ａに載置された上側食材収容部３１ａ内の食材が蓋体４０側からはみ出したり、不用意に下側食材収容部３２ａ側へ落下したりすることを抑制することができ、陳列効果が高められる。
【００５５】
図６，８は、食品用容器１Ａの横置き陳列時にテーパ面２２ａ以外の胴部２２の側面を下面側とした場合の例である。図示の例では、テーパ面２２ａと対向する側面２２ｂを下面側とし、テーパ面２２ａが上面側となるように配置して、抜差部材３５ａにより収容部３０を上下方向に分割している。このように、テーパ面２２ａ以外の胴部２２の側面を下面側とした場合であっても、適切な横置き陳列が可能である。なお、抜差部材３５ａは、脚部３８が側面２２ｂ方向となるようにガイド部２５ａ，２５ａに挿入されている。
【００５６】
図９に示す食品用容器１Ｂは、胴部２２にテーパ面２２ａが形成された平面視四角形状の容器本体２０Ｂを有し、テーパ面２２ａを下面側として、抜差部材３５ｂにより容器本体２０Ｂの収容部３０を横方向に配置された食材収容部３１ｂ，３２ｂに分割した例である。この容器１Ｂでは、横置き陳列時の容器本体２０Ｂの胴部２２の上下の側面にそれぞれガイド部２５ｂ，２５ｂが形成される。図示の例では、ガイド部２５ａ，２５ａの位置は、テーパ面２２ａと該テーパ面２２ａに対向する側面である。
【００５７】
ガイド部２５ｂ，２５ｂに挿入保持された抜差部材３５ｂは、横置き陳列時に下面側となる胴部２２のテーパ面２２ａから上面側となる胴部２２の側面２２ｂにわたって立設されて食材収容部３１ｂ，３２ｂを横（左右）方向に区画する隔壁部である。この抜差部材３５ｂは、各食材収容部３１ｂ，３２ｂの区画が可能であれば形状は限定されず、平板部材でも構わない。横置き陳列時の容器１Ｂでは、テーパ面２２ａが各食材収容部３１ｂ，３２ｂの底部となって、それぞれ収容された食材が載置される。そのため、左側食材収容部３１ｂ内の食材と右側食材収容部３２ｂ内の食材との混合を回避することができる。また、複数の食材が正面視左右方向に分割収容されるため、斬新な収容状態を演出することができ、陳列効果が高められる。
【００５８】
また、容器本体の収容部を横方向に分割する場合、図１０に示す食品用容器１Ａのように、テーパ面２２ａと対向しない他の側面（図の例では側面２２ｃ）を下面側として配置してもよい。このような場合でも、適切な横置き陳列が可能である。
【００５９】
図１１に示す食品用容器１Ｃは、平面視円弧形状の容器本体２０Ｃを有し、抜差部材３５ｃにより容器本体２０Ｃの収容部３０を上下方向に配置された食材収容部３１ｃ，３２ｃに分割した例である。この容器１Ｃでは、容器本体２０Ｃの胴部２２の側面の一部がテーパ面２２ａからなり、胴部２２の他の側面が円弧状側面２２ｅとして形成され、横置き陳列時にはテーパ面２２ａが下面側とされる。そして、円弧状側面２２ｅの対向する面にそれぞれガイド部２５ｃ，２５ｃが形成される。なお、図示のガイド部２５ｃ，２５ｃは、両者間の直線距離が円弧状側面２２ｅの直径に相当する位置関係であるが、溝の開口方向が対向可能な位置関係であれば、特に限定されない。
【００６０】
ガイド部２５ｃ，２５ｃに挿入保持された抜差部材３５ｃは、横置き陳列時に食材収容部３１ｃ，３２ｃを上下方向に区画する隔壁部であって、円弧状側面２２ｅの対向面間に架設されて上側食材収容部３１ｃの底部となる中皿部材に相当する。すなわち、容器１Ｃの抜差部材３５ｃは、容器１Ａの抜差部材３５ａと同様に、複数の食材を正面視上下方向に分割収容して、上側食材収容部３１ｃ内の食材と下側食材収容部３２ｃ内の食材との混合を回避するとともに、斬新な収容状態を演出することができる。また、このような胴部２２がテーパ面２２ａと円弧状側面２２ｅからなる容器１Ｃは、特に横置き陳列時の外観形状が斬新であり、消費者に対する商品のアピール力に優れる。
【００６１】
図１２に示す食品用容器１Ｄは、平面視円弧形状の容器本体２０Ｄを有し、抜差部材３５ｄにより容器本体２０Ｄの収容部３０を横方向に配置された食材収容部３１ｄ，３２ｄに分割した例である。この容器１Ｄでは、横置き陳列時に下面側となる容器本体２０の胴部２２のテーパ面２２ａと、円弧状側面２２ｅのテーパ面２２ａに対向面に、それぞれガイド部２５ｄ，２５ｄが形成される。
【００６２】
ガイド部２５ｄ，２５ｄに挿入保持された抜差部材３５ｄは、横置き陳列時に下面側となる胴部２２のテーパ面２２ａから対向する円弧状側面２２ｅにわたって立設されて食材収容部３１ｄ，３２ｄを横（左右）方向に区画する隔壁部である。すなわち、容器１Ｄの抜差部材３５ｄは、容器１Ｂの抜差部材３５ｂと同様に、複数の食材が正面視左右方向に分割収容して、左側食材収容部３１ｄ内の食材と右側食材収容部３２ｄ内の食材との混合を回避するとともに、斬新な収容状態を演出することができる。
【００６３】
また、上記容器１Ａ〜１Ｄでは、縦置き陳列時において、抜差部材が容器本体の底部側から蓋体側へ立設された状態で収容部を横方向に分割する隔壁部となるように構成される。そのため、縦置き陳列時でも複数の食材を分割収容して混合回避することができるとともに、斬新な収容状態を演出することができる。
【００６４】
以上図示し説明したように、本考案の食品用容器は、容器本体の胴部に開口部側から底部側にわたって一対のガイド部が形成されて、ガイド部に抜差し可能に挿入保持された板状の抜差部材により、容器本体の収容部が複数の食材収容部に分割され、使用時（喫食時）には抜差部材を抜去して各食材収容部に区画された食品を混ぜ合わせることが可能となる。そのため、抜差部材の抜去という極めて単純な作業のみで分割された食材をこぼすことなく混合可能な状態とすることができ、分割された食材の混合作業の簡略化や確実性を高めることができる。
【００６５】
また、本考案の食品用容器は、蓋体の蓋面を上面側又は正面側として陳列可能に構成されて、蓋面を上面側とした陳列時（縦置き陳列時）には抜差部材が容器本体の収容部を横方向に分割する隔壁部となり、蓋面を正面側とした陳列時（横置き陳列時）には抜差部材が収容部を横方向又は上下方向に分割する隔壁部となるように構成されている。そのため、縦置き陳列や横置き陳列などの陳列状態に応じて様々な配置で分割収納された食材を蓋体の蓋面を介して視認可能とすることができる。そして、陳列場所が低い場合は縦置き陳列、高い場合は横置き陳列等、陳列場所に応じて陳列状態を設定可能で食材の斬新な収容状態を演出することができるため、消費者に対して容器全体の中身をわかりやすくアピールすることができ、消費者の購買意欲を高めることが可能である。
【産業上の利用可能性】
【００６６】
以上の通り、本考案の食品用容器は、分割収容された食材の混合を簡略な作業で確実に行うことができ、陳列場所に応じた縦置きや横置き等の陳列が可能で、しかも内容物である食材の斬新な収容状態を演出することができて、消費者に対するアピール性が高く、消費者の購買意欲を高めることができる。また、本考案は容器自体の構成及び形状自体もこの種容器として新奇で新鮮あり消費者の注目度も高く付加価値があり、従来の食品用容器の代替として有望である。
【符号の説明】
【００６７】
１，１Ａ〜１Ｄ    食品用容器
１０Ａ  縦置き陳列時の容器
１０Ｂ，１０Ｃ  横置き陳列時の容器
２０，２０Ａ〜２０Ｂ    容器本体
２１    底部
２１ａ  底部補強部
２２    胴部
２２ａ  テーパ面
２２ｂ〜２２ｄ  胴部の側面
２２ｅ  胴部の円弧状側面
２３    開口部
２４    容器鍔部
２４ａ  直線部
２５，２５ａ〜２５ｄ    ガイド部
２６    凹溝部
２７    底部側保持部
３０    収容部
３１，３２    食材収容部
３１ａ，３１ｃ  上側食材収容部
３１ｂ，３１ｄ  左側食材収容部
３２ａ，３２ｃ  下側食材収容部
３２ｂ，３２ｄ  右側食材収容部
３５，３５ａ〜３５ｄ    抜差部材
３６    板面部
３７    リブ
３８    脚部
４０    蓋体
４１    蓋面
４２    垂下部
４３    蓋鍔部
４４    蓋つまみ部
５１    前側支持部
５２    後側支持部
【図１】
0003229323.tif 000003
【図２】
0003229323.tif 000004
【図３】
0003229323.tif 000005
【図４】
0003229323.tif 000006
【図５】
0003229323.tif 000007
【図６】
0003229323.tif 000008
【図７】
0003229323.tif 000009
【図８】
0003229323.tif 000010
【図９】
0003229323.tif 000011
【図１０】
0003229323.tif 000012
【図１１】
0003229323.tif 000013
【図１２】
0003229323.tif 000014